(57)【要約】      （修正有）【課題】簡易な構造で、かつ簡単に使用でき、自身で背筋の曲がり、姿勢の歪みなどを改善、矯正する背筋矯正具を提供する。【解決手段】背筋矯正具１は、手で把持する棒と、前記棒の両端から伸び、背筋方向に直交する方向の背中から腰に当接するベルト５と、からなることを特徴とする。また前記棒が筒２で、ベルト５が筒２内に挿通する環状のベルトであることを特徴とする。筒２とベルト５との間に、可撓性チューブ３を介在させ、筒２より可撓性チューブ３を突出させたことを特徴とする。【選択図】図４
0003208538.tif 000002
【実用新案登録請求の範囲】
【請求項１】
手で把持する棒と、前記棒の両端から伸び、背筋方向に直交する方向の背中から腰に当接するベルトと、からなることを特徴とする背筋矯正具。
【請求項２】
前記棒が筒で、前記ベルトが前記筒内に挿通する環状のベルトであることを特徴とする請求項１に記載の背筋矯正具。
【請求項３】
前記筒とベルトとの間に、可撓性チューブを介在させ、前記筒より前記可撓性チューブを突出させたことを特徴とする請求項２に記載の背筋矯正具。
【請求項４】
前記ベルトが、織布ベルト、又は弾性ベルト、或いはそれらの組み合わせであることを特徴とする請求項１又は請求項２に記載の背筋矯正具。
【請求項５】
前記筒内のベルトが織布ベルトで、前記筒外のベルトの一部を、織布ベルト又は弾性ベルトの何れか一方に着脱自在としたことを特徴とする請求項１又は請求項２に記載の背筋矯正具。
【考案の詳細な説明】
【技術分野】
【０００１】
本考案は、自身で背筋の曲がり、姿勢の歪みなどを改善、矯正する背筋矯正具に関する。
【背景技術】
【０００２】
背筋を矯正する器具として、特許文献１の姿勢矯正用運動器具が開示されている。特許文献１の発明は、骨盤及び背骨の歪みを矯正するとともに、筋肉を鍛えることで、正しい姿勢にするために好適な姿勢矯正用運動器具であって、
前記第一の棒状体から所定の距離を隔てるように、前記第一の棒状体に対し、概ね平行に設けられた第二の棒状体と、
前記第一の棒状体と前記第二の棒状体との間に、所定の間隔を隔てるようにして、橋渡しするようにして設けられた、一対の伸縮可能な弾性体と、
前記第二の棒状体に設けられ、使用者の左右の骨盤が概ね平行に位置するように、且つ、骨盤がやや前傾ぎみに立つように、前記第二の棒状体を、臀部の盛り上がりの下方と大腿部の境界の部分に押し当てるようにして、使用者の一対の大腿部の各々に取り付けるための、一対の固定手段とを備えるというものである。
【０００３】
この姿勢矯正用運動器具の使用者は、第二の棒状体及び一対の伸縮可能な弾性体の収縮力（一対の伸縮可能な弾性体が、元の長さに戻ろうとする付勢力）により骨盤及び背骨の歪みを矯正した状態で、筋肉を鍛えることができるので、この姿勢矯正用運動器具を使用すれば、骨盤及び背骨の歪みの矯正と、筋肉を鍛えることとの協働により、この姿勢矯正用運動器具の使用者の姿勢を、正しい姿勢にすることができるというものである。
【０００４】
しかしながら、特許文献１の姿勢矯正用運動器は、複雑な構造で、複雑な装着手順、複雑な動作を必要としており、扱い易いものでなく、使用時の安全について懸念があった。
【先行技術文献】
【特許文献】
【０００５】
【特許文献１】特開２０１４−６１１６７号公報
【考案の概要】
【考案が解決しようとする課題】
【０００６】
そこで、本考案は、簡易な構造で、かつ簡単に使用でき、自身で背筋の曲がり、姿勢の歪みなどを改善、矯正する背筋矯正具を提供することを目的とする。
【課題を解決するための手段】
【０００７】
本考案は、上記の課題を解決するために、
（１）
手で把持する棒と、前記棒の両端から伸び、背筋方向に直交する方向の背中から腰に当接するベルトと、からなることを特徴とする背筋矯正具。
（２）
前記棒が筒で、前記ベルトが前記筒内に挿通する環状のベルトであることを特徴とする（１）に記載の背筋矯正具。
（３）
前記筒とベルトとの間に、可撓性チューブを介在させ、前記筒より前記可撓性チューブを突出させたことを特徴とする（２）に記載の背筋矯正具。
（４）
前記ベルトが、織布ベルト、又は弾性ベルト、或いはそれらの組み合わせであることを特徴とする（１）又は（２）に記載の背筋矯正具。
（５）
前記筒内のベルトが織布ベルトで、前記筒外のベルトの一部を、織布ベルト又は弾性ベルトの何れか一方に着脱自在としたことを特徴とする（１）又は（２）に記載の背筋矯正具。
とした。
【考案の効果】
【０００８】
本考案は、上記構成であるので、簡易な構造で、かつ簡単に自身で背筋の曲がり、姿勢の歪みなどを改善、矯正することができる。
【図面の簡単な説明】
【０００９】
【図１】本考案である背筋矯正具の（Ａ）正面側、（Ｂ）背面側斜視写真である。
【図２】本考案である背筋矯正具の（Ｃ）右側、（Ｄ）左側斜視写真である。
【図３】本考案である背筋矯正具のベルトのサイズ調整部分の拡大写真である。
【図４】本考案である背筋矯正具の使用方法（１）の説明写真である。
【図５】本考案である背筋矯正具の使用方法（２）の説明写真である。
【図６】本考案である背筋矯正具の使用方法（３）の説明写真である。
【図７】本考案である背筋矯正具の使用方法（４）の説明写真である。
【図８】本考案である背筋矯正具の第二の実施形態の（Ａ）正面側、（Ｂ）背面側斜視写真である。
【図９】本考案である背筋矯正具の第三の実施形態の（Ａ）正面側、（Ｂ）背面側斜視写真である。
【図１０】本考案である背筋矯正具の第三の実施形態の斜視写真（ベルトの拡大写真）である。
【考案を実施するための形態】
【００１０】
以下、添付の図面を参照し、本考案の実施の形態の一例について詳細に説明する。なお、本考案は下記実施例に限定されるものではない。
【実施例１】
【００１１】
図１〜図３に示すように、本考案である第一の実施形態である背筋矯正具１は、手で把持する棒状の筒２と、筒２の両端から伸び、背筋方向に直交する方向の背中から腰に当接する環状のベルト５とからなる。さらに、必要に応じて、チューブ３、クッション４、環６及びアジャスター（留具７、左右ストッパ９、９ａ）、パッド８などを備える。
【００１２】
筒２には、クッション４が嵌められ、手で把持し易くしている。筒２は、後述のように、背筋の反り返りの際の固定位置（椅子、机、壁など）に載置、接触、当接させ、支持点として使用する。素材としては、樹脂、金属（ステンレスなど）、或いはそれらの積層物のパイプなどが例示される。筒２の直径としては、手での握り易さから、約３ｃｍ〜４ｃｍ前後が望ましい。筒２の長さとしては、標準サイズとしては６０ｃｍ前後、大柄用としては９０ｃｍ前後が望ましい。筒２の長さは、大略５０ｃｍ〜１００ｃｍ程度が好適である。短すぎると骨への負荷が高くなり過ぎて骨折の恐れが高まり、長すぎると十分な負荷が背中から腰に掛からない。
【００１３】
ここで、仮に、ベルトを手で直接握って腕を伸ばして背中に負荷を与えると、両腕の間隔の違いにより負荷される圧力にばらつきが生じる。両腕の間隔が狭くなり過ぎると負荷が強すぎ、両腕の間隔が広すぎると負荷が弱くなりすぎ、適切な負荷の再現性を担保できない。他方、本願発明では、所定の長さの筒（棒）を使用しているため、背中全体に適切で、都度均一な負荷を与えることができる。
【００１４】
クッション４としては、発泡性ゴム、スポンジなど、従来から把持部の緩衝、滑り止めに使用される材質が使用できる。
【００１５】
チューブ３は、筒２とベルト５との間に介在される可撓性を備えるホース状物である。筒２より突出させることにより、ベルト５が筒２の左右端部に当たりベルト５がほころび、劣化、切断させるのを防止する。例えば、高水圧に耐性がある糸を編み込んだ耐圧ホースなどがベルト５の保護と、ベルト５の身体への押圧力に柔軟性を持たせるため好適である。
【００１６】
ベルト５は、環状で、環６、複数のアジャスター（留具７、左右ストッパ９、９ａ）で、位置決めされ、背筋方向に直交する方向の背中から腰にかけて、移動させ当接させ、腰から臀部を背中側に押し込み、腕を伸ばし、肩を背中側の押し込むことで、背中を猫背から逆に反らせ、背筋の湾曲（猫背など）を改善、矯正する。単に、腰を反らす動作よりベルト５がピンポイントで位置決めされ、負荷加減も調節でき、効果的で、転倒などの怪我もなく安全に使用することができる。
【００１７】
環６は、アジャスターで、図３に明示のように、枠と軸からなり、そこにベルト５を引っかけベルト５を輪状に連結している。筒２側のベルト５は、環６の枠に掛け、折り返し、輪５ｂを形成して縫製部５ａで重ね、縫い合わせている。他方、パッド８側は、端部５ｃを環６の軸に通し、さらに留具７を通し、重ねてまとめている。ベルト５は、使用者の体型に応じて、留具７の位置を変え、環状のベルト５の径（長さ）を調整することができる。留具７は、枠と１本の軸とでなり、ベルト５の長さ調節に用いられるアジャスターで、左右ストッパ９、９ａも同じ形状である。アジャスターを用いた各種製品のベルトの長さ調節、位置固定は、説明するまでもなく十分知られている。
【００１８】
ベルト５の幅としては、３〜５ｃｍ前後が好適である。細すぎると背中への食い込みが強くなり、骨折の危険性が高まり、他方、幅が太すぎると十分な負荷を背中から腰に掛けられない。ベルト５が細い場合には、パッド８の幅で背中への負荷を調節することができる。
【００１９】
ベルト５の素材としては、肩掛けカバンのベルトに用いられている織布ベルト、弾性ベルト、例えゴム、自転車タイヤのチューブ、タイヤゴムなどを用いることができる。さらに、織布ベルトと弾性ベルトを連結した組み合わせベルトを用いることができる。実施例１のベルト５は、環状の織布ベルトを採用した。
【００２０】
左右ストッパ９、９ａは、アジャスターであるが、チューブ３内部に挿通するベルト５の位置がズレないよう、チューブ３の左右の端の位置に位置する部分のベルト５に取り付けいる。
【００２１】
パッド８は、その幅厚で、ベルト５の身体への押圧力を調節するため、ベルト５をスライド可能で、背骨位置に配置される。
【００２２】
このようにしてなる背筋矯正具１は、図４〜７に示すような方法、姿勢で、背骨を反猫背側に弓なりに反らせ、猫背、姿勢の歪みなどの姿勢、背筋を改善、矯正する。
【００２３】
図４では、椅子１２と机を用いた背筋矯正具１の使用例（１）を説明する。施術する本人が椅子１２に腰掛け、ベルト５を背筋方向に直交する方向に、背中にまわし、筒２をカバーするクッション４を手で握り、机のテーブル面１３に、筒２とクッション４からな棒状物（反り棒）を載置した上で、椅子１２、腰から臀部、肩（腕を前方向に伸ばす）を図内の中抜き矢印方向に押し込む。
【００２４】
そうすることで、背筋が図示した破線のように湾曲する。これにより、猫背、背中から腰の曲がりを改善、矯正することができる。ベルト５の当接する位置は首下部の背中から臀部上の腰辺りまで、位置移動させ、破線のように背筋を反らして、背筋の矯正を行う。自身でストレッチをするため、反り加減、押し込む力を調節して、快適なストレッチを可能にする（他の使用例でも同じ）。被施術者である本人は、椅子１２に腰掛けているので、反り返る無理な姿勢による転倒などの危険性がなく、怪我なく、年配者にも安心して使用してもらえる。
【００２５】
図５では、椅子１２の背もたれを利用した背筋矯正具１の使用例（２）を説明する。施術する本人が、ベルト５を背中にまわし、筒２をカバーするクッション４を手で握り、椅子１２の背もたれ上部に、筒２とクッション４からなる反り棒を載置した上で、腰から臀部、肩（腕を前方向に伸ばす）を図内の中抜き矢印方向に押し込む。そうすることで、背筋が図示した破線のように湾曲する。これにより、猫背、背中から腰の曲がりを改善、矯正することができる。椅子１２の背もたれを持って、反り返りストレッチをするので、椅子１２に腰掛けたときと同様に転倒などによる怪我の心配はない。
【００２６】
図６では、壁１４を利用した背筋矯正具１の使用例（３）を説明する。施術する本人が、ベルト５を背中にまわし、筒２をカバーするクッション４を手で握り、壁１４の肩位置に、筒２とクッション４からなる反り棒を当接させた上で、腰、肩（腕を前方向に伸ばす）を図内の中抜き矢印方向に押し込む。また、膝を曲げて腰を落とすことで、簡単に背中に反り返り方向の負荷が掛かる。そうすることで、背筋が図示した破線のように湾曲する。これにより、猫背、背中から腰の曲がりを改善、矯正することができる。壁１４に手を掛けて、反り返りストレッチをするので転倒などによる怪我の心配はない。
【００２７】
図７では、床１５を利用した背筋矯正具１の使用例（４）を説明する。施術する本人が、ベルト５を背中にまわし、筒２をカバーするクッション４を手で握り、床１５に、筒２とクッション４かなる反り棒を当接させた上で、腰から臀部、肩（腕を前方向に伸ばす）を図内の中抜き矢印方向に押し込む。また、膝を中心に臀部を一点鎖線矢印方向に回転させることで、簡単に背中に反り返り方向の負荷が掛かる。そうすることで、背筋が図示した破線のように湾曲する。これにより、猫背、背中から腰の曲がり、姿勢を改善、矯正することができる。床１５に手を置き、膝をついて、反り返りストレッチをするので転倒の心配はなく、安全に背筋矯正具１を使用することができる。
【００２８】
背筋矯正動作の際、筒２とクッション４かなる反り棒及び手を載置する場所、補助に使用される場所は上記に限定されるものでなく、その他、鉄棒のバー、車のハンドルなど様々な場所を利用できる。つまり、本発明を利用した背筋の反り返りストレッチ、背筋の矯正は場所を選ばず、安全に実施できることを意味する。
【実施例２】
【００２９】
図８に示すように、本考案である背筋矯正具１ａは、実施例１において、ベルト５の一部を弾性ベルト１０に変更した変形例である。実施例１と同じ符号については、同じ構造、或いは機能であり、それらの説明を参照することができるので、ここでの説明を省略するものもある。
【００３０】
背筋矯正具１ａは、具体的には、クッション４が被覆された筒２と、筒２内に挿通するチューブ３と、チューブ３内に挿通するベルト５ｄと、ベルト５ｄに連結された弾性ベルト１０と、弾性ベルト１０が挿通するパッド８と、各種環６、アジャスターとかなる。
【００３１】
ベルト５ｄと弾性ベルト１０とで環状のベルトを形成する。機能は実施例１のベルト５と同じであるが、さらに、ベルトに弾性が付与され、背中への押圧力に一層の柔軟性を持たせたものである。実施例１より低い反り返り圧を背筋に負荷する。骨が脆化した場合に有効であり、骨折の危険性をさらに低減させることができる。また、背筋を左右方向に振る動作、或いは背骨を中止に回転する動作もスムーズに実施することできる。
【００３２】
ベルト５ｄは、両端に左右のストッパ９、９ａを備え、筒２との位置ズレを防止する。そして、左右ストッパ９、９ａは、端部５ｃを挿通し、ベルト５ｄの端の遊びをなくす。留具７ａは、その位置により、端部５ｃが環６に掛け、折り返されたベルト５ｄの長さを調節する。
【００３３】
環６の他方には、弾性ベルト１０（ここでタイヤゴム）が、掛けられ、折り返される。弾性ベルト１０の端部は、留具７ａに通され、弾性ベルト１０の長さ調節をするとともに、固定され、端部の遊びも防ぐ。パッド８は、実施例１と同様である。
【実施例３】
【００３４】
図９、１０に示すように、本考案である背筋矯正具１ｂは、実施例１において、主として、ベルト５の一部を弾性ベルト１０ａに変更した変形例である。実施例１、２と同じ符号については、同じ構造、或いは機能であるので、実施例２同様に、ここでの説明を省略するものもある。
【００３５】
背筋矯正具１ｂは、具体的には、体格の大きい被施術者用であり、実施例１、２より太く長い筒２ａと、筒２ａを被覆する左右２本のスポンジ状のクッション４ａと、筒２ａ内部に挿通するベルト５ｄと、ベルト５ｄに着脱可能に連結された弾性ベルト１０ａと、弾性ベルト１０ａが挿通するパッド８と、バックル１１、アジャスターとかなる。ベルト５ｄの留具７ａ、弾性ベルト１０ａの留具７ａはいずれも各ベルトの長さ調節用である。ベルト５ｄの端部５ｃは、左右ストッパ９、９ａに通され、位置固定と遊びを防ぐ。弾性ベルト１０ａの端部は留具７ａに通され、端部の遊びを防ぐ。
【００３６】
ベルト５ｄと弾性ベルト１０ａとで環状のベルトを形成する。機能は実施例１のベルト５と同じであるが、さらに、ベルトに弾性が付与され、背中への押圧力に一層の柔軟性を持たせたものである。実施例１より低い反り返り圧を背筋に負荷する。骨が脆化した場合に有効であり、骨折の危険性をさらに低減させることができる。
【００３７】
ベルト５ｄと弾性ベルト１０ａは、バックル１１で着脱可能に連結する。バックル１１は、一般に流通している汎用性のもので、雄バックル１１ａと受けバックル１１ｂの両バックルからなり、雄バックル１１ａを受けバックル１１ｂに押し込むと雄バックル１１ａの爪が、受けバックル１１ｂに係止される。両バックルの連結を解除するには、爪部を押圧すると爪と受けバックル１１ｂとの係止が解除され、受けバックル１１ｂから雄バックル１１ａが抜ける。このような脱着機構により、ベルト５ｄと弾性ベルト１０ａは、バックル１１で着脱可能に連結する。また、弾性ベルト１０ａに換え、両端に雄バックル１１ａを備える織布ベルトに交換できる。
【符号の説明】
【００３８】
１      背筋矯正具
１ａ    背筋矯正具
１ｂ    背筋矯正具
２      筒
２ａ    筒
３      チューブ
４      クッション
５      ベルト
５ａ    縫製部
５ｂ    輪
５ｃ    端部
５ｄ    ベルト
６      環
７      留具
７ａ    留具
８      パッド
９      左ストッパ
９ａ    右ストッパ
１０    弾性ベルト
１０ａ  弾性ベルト
１１    バックル
１１ａ  雄バックル
１１ｂ  受けバックル
１２    椅子
１３    テーブル面
１４    壁
１５    床
【図１】
0003208538.tif 000003
【図２】
0003208538.tif 000004
【図３】
0003208538.tif 000005
【図４】
0003208538.tif 000006
【図５】
0003208538.tif 000007
【図６】
0003208538.tif 000008
【図７】
0003208538.tif 000009
【図８】
0003208538.tif 000010
【図９】
0003208538.tif 000011
【図１０】
0003208538.tif 000012
【手続補正書】
【提出日】平成28年11月14日(2016.11.14)
【手続補正１】
【補正対象書類名】実用新案登録請求の範囲
【補正対象項目名】全文
【補正方法】変更
【補正の内容】
【実用新案登録請求の範囲】
【請求項１】
手で把持する棒と、前記棒の両端から伸び、背筋方向に直交する方向の背中から腰に当接するベルトと、からなることを特徴とする背筋矯正具。
【請求項２】
前記棒が筒で、前記ベルトが前記筒内に挿通する環状のベルトであることを特徴とする請求項１に記載の背筋矯正具。
【請求項３】
前記筒とベルトとの間に、可撓性チューブを介在させ、前記筒より前記可撓性チューブを突出させたことを特徴とする請求項２に記載の背筋矯正具。
【請求項４】
前記ベルトが、織布ベルト、又は弾性ベルト、或いはそれらの組み合わせであることを特徴とする請求項１又は請求項２に記載の背筋矯正具。
【請求項５】
前記筒内のベルトが織布ベルトで、前記筒外のベルトの一部を、織布ベルト又は弾性ベルトの何れか一方に着脱自在としたことを特徴とする請求項２に記載の背筋矯正具。
【手続補正２】
【補正対象書類名】明細書
【補正対象項目名】０００７
【補正方法】変更
【補正の内容】
【０００７】
本考案は、上記の課題を解決するために、
（１）
手で把持する棒と、前記棒の両端から伸び、背筋方向に直交する方向の背中から腰に当接するベルトと、からなることを特徴とする背筋矯正具。
（２）
前記棒が筒で、前記ベルトが前記筒内に挿通する環状のベルトであることを特徴とする（１）に記載の背筋矯正具。
（３）
前記筒とベルトとの間に、可撓性チューブを介在させ、前記筒より前記可撓性チューブを突出させたことを特徴とする（２）に記載の背筋矯正具。
（４）
前記ベルトが、織布ベルト、又は弾性ベルト、或いはそれらの組み合わせであることを特徴とする（１）又は（２）に記載の背筋矯正具。
（５）
前記筒内のベルトが織布ベルトで、前記筒外のベルトの一部を、織布ベルト又は弾性ベルトの何れか一方に着脱自在としたことを特徴とする（２）に記載の背筋矯正具。
とした。